(57)【要約】      （修正有）【課題】多様な形状の電力受入端子の携帯電話機に対応できると共に、コンパクトで携帯性に優れ、カバーが不要な携帯電話機用充電器を提供する。【解決手段】電池を収容すると共に電力の供給源として接続する電力供給部と、電力供給部からの電力を本体外部出力端子に出力する出力制御部と、接続先の外部へ電力を出力する本体外部出力端子と、本体外部出力端子に接続される入力端子と、携帯電話機の電力受入端子に接続される出力端子と、を有する入出力端子交換コネクタを備え、本体外部出力端子の入出力端子交換コネクタに面する位置にロック部材が備わり、入出力端子交換コネクタを本体外部出力端子に接合させる際には、そのロック部材に抗して差し込み係合させ、入出力端子交換コネクタを本体外部出力端子から解除させる際には、異なる電力受入端子の形状に応じて、その異なる電力受入端子に接続可能な形状の出力端子を有する入出力端子交換コネクタを、携帯電話機のタイプに応じて取り替え可能とする。【選択図】図２
0003122392.tif 000002
【実用新案登録請求の範囲】
【請求項１】
携帯電話機に着脱自在に接続されて、携帯電話機への電力供給を行う電池内蔵型の充電器において、
電池を収容すると共に電力の供給源として接続する電力供給部と、
電力供給部からの電力を本体外部出力端子に出力する出力制御部と、
接続先の外部へ電力を出力する本体外部出力端子と、を有する本体部、
並びに、
その本体外部出力端子に接続される入力端子と、携帯電話機の電力受入端子に接続される出力端子と、を有する入出力端子交換コネクタ、
を備え、
本体外部出力端子の入出力端子交換コネクタに面する位置にロック部材が備わり、入出力端子交換コネクタを本体外部出力端子に接合させる際には、そのロック部材に抗して差し込み係合させ、入出力端子交換コネクタを本体外部出力端子から解除させる際には、前記係合を開放して用い、
携帯電話機のタイプの相違により異なる電力受入端子の形状に応じて、その異なる電力受入端子に接続可能な形状の出力端子を有する入出力端子交換コネクタを、携帯電話機のタイプに応じて取り替え可能とする
ことを特徴とする携帯電話機用充電器。
【請求項２】
本体外部出力端子が、本体部の外形より内側に凹んで位置する板状のプリント基板の端部から成る凸状体で構成されると共に、
入出力端子交換コネクタの入力端子が、そのプリント基板端部の嵌合される凹状体で構成される
請求項１に記載の携帯電話機用充電器。
【請求項３】
本体外部出力端子が、本体部の外形より内側に凹んで位置する凹凸嵌合可能なプラグで構成されると共に、
入出力端子交換コネクタの入力端子が、そのプラグの嵌合される他方のプラグで構成される
請求項１に記載の携帯電話機用充電器。
【請求項４】
本体外部出力端子が、本体部の外形より内側に凹んで位置する金属接点で構成されると共に、
入出力端子交換コネクタの入力端子が、その金属接点に係合する金属接点で構成される
請求項１に記載の携帯電話機用充電器。
【請求項５】
携帯電話機のタイプの相違に応じて付帯される複数の入出力端子交換コネクタが、電池の収容される本体に付装されたストラップに、着脱自在に付帯される
請求項１ないし４に記載の携帯電話機用充電器。
【考案の詳細な説明】
【技術分野】
【０００１】
本考案は、収容した電池を電力の供給源として利用する携帯電話機用の充電器に関する。
【背景技術】
【０００２】
電池を収容し電力の供給源として利用する携帯電話機用の充電器は、公知であり種々のものが流通している。
現在、例えば日本では、携帯電話機の電力受入端子の形状は、ＤＩＧＩＴＡＬ、ＦＯＭＡ、Ｃｄｍａ毎に異なって、３種類の形状がある。このような複数種類の電力受入端子があると、充電器も各電力受入端子に接合する複数種類のものが必要となる。
【０００３】
そこで、充電器の出力端子の形状を交換するコネクタを、充電器に添付して便宜を図ることが考えられる。
例えば、特許文献１「携帯電話機内蔵電池への充電方法および携帯電話機用充電装置 」には、充電器の本体の出力端子に着脱自在であり、その端子形状を変える入出力端子交換コネクタを添付する構成が開示されている。
このような構成を有すると、ひとつの充電器で、複数タイプの携帯電話機に充電できる利点がある。
しかし、充電器本体の出力端子が、充電器本体から突出した形状であるので、携帯性に難がある。また、その突出部分を保護するためにカバーが必要となり、デザイン性の向上が難しい。更に、充電器本体の出力端子に入出力端子交換コネクタを接続すると、嵩張ってカバーをすることができない。
【特許文献１】特開2003-273976
【考案の開示】
【考案が解決しようとする課題】
【０００４】
そこで、本考案は、充電器本体の出力端子の形態と、その端子形状を変える入出力端子交換コネクタとに改良を施すことによって、多様な形状の電力受入端子の携帯電話機に対応できると共に、コンパクトで携帯性に優れ、カバーを不要にするか或いはカバーを携帯性等に活用できる形態で設けられ、また、デザイン性にも富む携帯電話機用充電器を提供することを課題とする。
【課題を解決するための手段】
【０００５】
上記課題を達成するため、本考案の携帯電話機用充電器は、次の構成を備える。
すなわち、携帯電話機に着脱自在に接続されて、携帯電話機への電力供給を行う電池内蔵型の充電器において、電池を収容すると共に電力の供給源として接続する電力供給部と、電力供給部からの電力を本体外部出力端子に出力する出力制御部と、接続先の外部へ電力を出力する本体外部出力端子と、を有する本体部、並びに、その本体外部出力端子に接続される入力端子と、携帯電話機の電力受入端子に接続される出力端子と、を有する入出力端子交換コネクタを備え、本体外部出力端子の入出力端子交換コネクタに面する位置にロック部材が備わり、入出力端子交換コネクタを本体外部出力端子に接合させる際には、そのロック部材に抗して差し込み係合させ、入出力端子交換コネクタを本体外部出力端子から解除させる際には、前記係合を開放して用い、携帯電話機のタイプの相違により異なる電力受入端子の形状に応じて、その異なる電力受入端子に接続可能な形状の出力端子を有する入出力端子交換コネクタを、携帯電話機のタイプに応じて取り替え可能とすることを特徴とする。
【０００６】
ここで、本体外部出力端子を、本体部の外形より内側に凹んで位置する板状のプリント基板の端部から成る凸状体で構成すると共に、入出力端子交換コネクタの入力端子を、そのプリント基板端部の嵌合される凹状体で構成する形態が、カバーを不要にもでき有効である。
【０００７】
或いは、本体外部出力端子を、本体部の外形より内側に凹んで位置する凹凸嵌合可能なプラグで構成すると共に、入出力端子交換コネクタの入力端子を、そのプラグの嵌合される他方のプラグで構成しても、カバーを携帯性等やデザイン性に富むようにも活用でき有効である。
【０００８】
同様に、本体外部出力端子を、本体部の外形より内側に凹んで位置する金属接点で構成すると共に、入出力端子交換コネクタの入力端子を、その金属接点に係合する金属接点で構成しても、カバーを携帯性等やデザイン性に富むようにも活用でき有効である。
【０００９】
また、携帯電話機のタイプの相違に応じて付帯される複数の入出力端子交換コネクタを、電池の収容される本体に付装されたストラップに着脱自在に付帯させて、入出力端子交換コネクタの着脱の利便に寄与させてもよい。
【考案の効果】
【００１０】
本考案によると、ひとつの充電器で、多様な形状の電力受入端子の携帯電話機に、簡易な操作で対応できる。そして、コンパクトであり携帯性に優れ、カバーを不要にもでき、或いは、カバーを携帯性等の向上にも活用もでき、また、デザイン性を向上させることも可能である。
【考案を実施するための最良の形態】
【００１１】
以下に、本考案の実施形態を図面に基づいて説明する。
ここでは、単３型電池を２本収容し、概形が平らな略直方体の充電器を例示する。しかし、内蔵する電池のタイプは、市販の電池であれば任意であり、また本数も１〜４本を適宜選べ、充電器本体部等の形状も適宜設計変更できる。
【００１２】
図１は、本発明による充電器の斜視図であり、図２は、そのカバーを外した状態の斜視図である。
充電器は、少なくとも、本体部（１０）と入出力端子交換コネクタ（２０）とを備える。
本実施例では、カバー（４０）を備え外面が滑らかになっている。
本体部（１０）の概形は、接続端子が突出することなく周囲がほぼ平坦な略直方体形状で、収容される電池より若干大きな寸法であり、コンパクトで携帯の利便に適合させてある。
本体部（１０）には、電池カバー（１２）で開閉される電池の収容部と、収容された電池との接点及び配線から成る電力供給部と、接続先の外部へ電力を出力する本体外部出力端子（１３）と、電力供給部からの電力を本体外部出力端子（１３）に出力する出力制御部（１４）とを備える。
【００１３】
本体外部出力端子（１３）は、本体部（１０）の外形より内側に凹んで位置し、本体外部出力端子（１３）も入出力端子交換コネクタ（２０）の入力端子（２２）も、互いに凹凸嵌合可能なプラグで構成される。プラグとしては、従来公知のものが適宜使える。
【００１４】
本体部（１０）の上部においては、入出力端子交換コネクタ（２０）に面して、ロック部材としてバネ等の弾性体（１６）が配置される。ロック部材は、入出力端子交換コネクタ（２０）を本体部（１０）に固定させて、入出力端子交換コネクタ（２０）の入力端子（２２）を本体外部出力端子（１３）に安定接合させるものであって、必ずしも弾性体を備えなくてもよい。
また、入出力端子交換コネクタ（２０）の側部には、解除ボタン（１７）に連なり突出した係止片（１８）が係合する溝状の係止部（２４）が設けられている。
入出力端子交換コネクタ（２０）を本体外部出力端子（１３）に接合させる際には、その弾性体（１６）に抗して差し込み、係止片（１８）を係止部（２４）に係合させることによって、両者の接合保持を安定化させる。
ここで、係止片（１８）と係止部（２４）は、両者が係合さえすればよいので、図示の例のように係止片（１８）が凸状で係止部（２４）が凹状に限らず、逆に、係止片（１８）が凹状で係止部（２４）が凸状であってもよい。
【００１５】
他方、本体部（１０）から入出力端子交換コネクタ（２０）を開放するためには、解除ボタン（１７）を押し、係止片（１８）を係止部（２４）から離し、入出力端子交換コネクタ（２０）を自由にする。
【００１６】
なお、本体外部出力端子（１３）の下部に弾性体を設けてもよい。すると、解除ボタン（１７）を押して、入出力端子交換コネクタ（２０）を自由にした際、その弾性体の復元力によって入出力端子交換コネクタ（２０）が押し上げられるので、円滑に取り外すことが可能になる。
【００１７】
また、解除ボタン（１７）の動作とリンクを介して連動し上下動する棒状体を、本体外部出力端子（１３）の下部または近傍に設け、解除ボタン（１７）を押すと、その棒状体が入出力端子交換コネクタ（２０）を押し上げるように設計してもよい。
【００１８】
図３は、別実施例の充電器の正面図、図４は、その本体部の平面図、図５及び６は、入出力端子交換コネクタの正面図及び底面図である。
前記実施例とは、本体外部出力端子（１３）と、充電対象の携帯電話機の電力受入端子タイプに応じた入出力端子交換コネクタ（２０）との接続構成が異なる。
【００１９】
図示の例では、本体部（１０）に設けられた孔（１１）に挿通されたストラップ（３０）に、タイプの異なる２個の入出力端子交換コネクタ（２０）（２０）が、その孔（２１）を介して付帯されている。ストラップ（３０）に挿通させる入出力端子交換コネクタ（２０）の数は任意であり、例えば、ＤＩＧＩＴＡＬ、ＦＯＭＡ、Ｃｄｍａ用に３個付帯させてもよい。また、通常使用する入出力端子交換コネクタ（２０）を本体部（１０）に接続させておいてもよい。
また更に、孔（２１）を設けないで、同様の孔の付設されたカプセル状の包装体に、入出力端子交換コネクタ（２０）を収容してから、ストラップに挿通させて付帯させてもよい。
【００２０】
本体部（１０）の表面には、電池の電圧に応じて明度の変化するランプ（１５）が備わり、電池の取り替え時期を指標している。
このランプ（１５）は、任意の電池を収容してその時の明度を見ることで、他の用途に使用される電池の容量チェックに利用することも可能である。
【００２１】
本体外部出力端子（１３）は、本体部（１０）の上部の内側に位置し、本体部（１０）の外形より凹んだ形態で配設される。すなわち、本体部（１０）の上部には、略直方体状等の溝（１３ａ）が設けられ、その略中心部に板状の突片（１３ｂ）が立設され、その突片（１３ｂ）の外周に電気接点が付設される。突片（１３ｂ）は、板状のプリント基板の端部から成る凸状体などで構成される。
【００２２】
本体外部出力端子（１３）には、充電対象の携帯電話機の電力受入端子タイプに応じた入出力端子交換コネクタ（２０）が接続される。
入出力端子交換コネクタ（２０）には、本体外部出力端子（１３）に接続される入力端子（２２）と、携帯電話機の電力受入端子に接続される出力端子（２３）とが備わる。
【００２３】
入出力端子交換コネクタ（２０）の入力端子（２２）は、本体部（１０）の上部に設けられた溝（１３ａ）に係合する略直方体状等の突片（２２ａ）を有する。その突片（２２ａ）の内側には、本体外部出力端子（１３）の突片（１３ｂ）が嵌合する溝（２２ｂ）が設けられ、突片（１３ｂ）の内周すなわち溝（２２ｂ）に面する側に、電気接点が付設される。
これによって、入出力端子交換コネクタ（２０）の入力端子（２２）の突片（２２ａ）を、本体外部出力端子（１３）の溝（１３ａ）に嵌めると、それと同時に、入出力端子交換コネクタ入力端子突片（２２ａ）の内側に位置する溝（２２ｂ）に、本体外部出力端子突片（１３ｂ）も嵌まり、両電気接点が接合される。
【００２４】
ここで、入出力端子交換コネクタ（２０）の入力端子（２２）の突片（２２ａ）の外周形と、本体外部出力端子（１３）の溝（１３ａ）の内周形とは、突片（２２ａ）が溝（１３ａ）に嵌合可能な関係であればよく、両者は必ずしも一致しなくてもよい。
例えば、入出力端子交換コネクタ入力端子突片（２２ａ）の外周形を、本体外部出力端子溝（１３ａ）の内周形より数ｍｍ小さくしてもよく、その場合には、突片（２２ａ）と溝（１３ａ）との間に、両者を係合可能にする凹凸や弾性体を適宜設ける。
【００２５】
また、上記のような本体外部出力端子（１３）を、本体部（１０）の側面に複数設けて、ひとつの充電器によって同時に複数の携帯電話機に充電できるようにしてもよい。
【００２６】
図７は、更に別の実施例の入出力端子交換コネクタの斜視図である。
本体外部出力端子（１３）は、前記実施例と同様に本体部の外形より内側に凹んで位置する金属接点で構成される。その金属接点に係合する金属接点（２２ｃ）が、入出力端子交換コネクタ（２０）の入力端子（２２）に備わる。
金属接点（２２ｃ）が２点であると、その間に導体が混入してショートしたり、暗電流によって電池が消耗してしまう危惧があるから、本実施例では３点設けてある。
【産業上の利用可能性】
【００２７】
本考案によると、本体部にストラップ等で付帯された入出力端子交換コネクタを、携帯電話機のタイプに応じて利用することで、電力受入端子の形状の異なる多様な携帯電話機に充電することができる。入出力端子交換コネクタの交換は、弾性体を介した簡単な操作で行える。入出力端子交換コネクタの接続される本体外部出力端子が、本体部の外形より凹んだ位置に配設されているので、本体部の形状を、周囲がほぼ平坦でコンパクトに形成できるので、携帯性及びデザイン性に優れ利用価値が高い。
【図面の簡単な説明】
【００２８】
【図１】本発明による充電器の斜視図
【図２】同、カバーを外した状態の斜視図
【図３】別実施例の充電器の正面図
【図４】同、本体部の平面図
【図５】入出力端子交換コネクタの正面図
【図６】同、底面図
【図７】別実施例の入出力端子交換コネクタの斜視図
【符号の説明】
【００２９】
１０  本体部
１１  孔
１２  電池カバー
１３  本体外部出力端子
１３ａ  溝
１３ｂ  突片
１４  出力制御部
１５  ランプ
１６  弾性体
１７  解除ボタン
１８  係止片
２０  入出力端子交換コネクタ
２１  孔
２２  入力端子
２２ａ  突片
２２ｂ  溝
２２ｃ  金属接点
２３  出力端子
２４  係止部
３０  ストラップ
４０  カバー
【図１】
0003122392.tif 000003
【図２】
0003122392.tif 000004
【図３】
0003122392.tif 000005
【図４】
0003122392.tif 000006
【図５】
0003122392.tif 000007
【図６】
0003122392.tif 000008
【図７】
0003122392.tif 000009